(57)【要約】【課題】軽量でコストを抑えることが可能な大型のプリンタまたはプロッタ等を搬送する印刷機の搬送装置を提供する。【解決手段】枠部材１１ａ、枠部材１１ａに囲まれた部分全体を覆うように設けられた段ボールシート１１ｂ、および長手方向の両端が枠部材に固定されて設けられ印刷機を載置させる載置面を有するレール部材により構成された載置台と枠部材から下方に延びる脚部１１ｃとを備え、枠部材１１ａの下面に空間が設けられるように構成されたパレット１１と、載置面に載置された印刷機を載置面に固定させる搬送ステー、固定具１４と、印刷機に載置面と平行な方向に開口する支持孔が設けられ、支持孔に挿入可能に構成され挿入する方向の両端にフック等の係止手段を取り付けて係止手段を持ち上げることにより印刷機を吊り上げ可能にする吊り上げステーとを備えて構成される。【選択図】図２
2010173836.tif 000002
【特許請求の範囲】
【請求項１】
プリンタまたはプロッタ等の印刷機を搬送するための印刷機の搬送装置であって、
枠部材、前記枠部材に囲まれた部分全体を覆うように設けられたシート部材、および長手方向の両端が前記枠部材に固定されて設けられ前記印刷機を載置させる載置面を有するレール部材により構成された載置台と前記枠部材から下方に延びる脚部とを備え、前記枠部材の下面に空間が設けられるように構成されたパレットと、
前記載置面に載置された前記印刷機を前記載置面に固定させる印刷機固定手段と、
前記印刷機に前記載置面と平行な方向に開口する貫通孔が設けられ、前記貫通孔に挿入可能に構成され前記挿入する方向の両端にフック等の係止手段を取り付けて前記係止手段を持ち上げることにより前記印刷機を吊り上げ可能にする印刷機吊り上げ手段とを備えたことを特徴とする印刷機の搬送装置。
【請求項２】
前記パレットに、前記印刷機吊り上げ手段を前記載置面と略直交する方向に延びるように取り付けるための吊り上げ手段取付部が設けられていることを特徴とする請求項１に記載の印刷機の搬送装置。
【請求項３】
前記印刷機は、前記印刷機を前後または左右方向に移動自在にするための車輪を有し、
前記印刷機固定手段は、前記印刷機および前記パレットに着脱自在に設けられ、前記印刷機および前記パレットから外した状態で前記車輪を介して前記印刷機を載置可能に構成されることを特徴とする請求項１または２に記載の印刷機の搬送装置。
【発明の詳細な説明】
【技術分野】
【０００１】
本発明は、大型のプリンタおよびプロッタ等を搬送するための印刷機の搬送装置に関する。
【背景技術】
【０００２】
大型のプリンタやカッティングプロッタ等の印刷機を搬送する搬送装置は、これらの印刷機を載置、搬送、保管するための載置板であるパレットを備え、当該パレットは、底板と天板の一対の矩形状のパネルを有し、底板と天板との間に複数の補強部材が接合されるとともに天板と底板との間隙にフォークリフトの爪を挿入するためのフォークリフト差込口を備えた構造のもの、そして上記パレットに段ボール箱等の梱包部材を組み合わせたものがある。このような搬送装置を用いて印刷機を搬送する際には、天板上に印刷機を載置した後、フォークリフト差込口にフォークリフトの爪を挿入しフォークリフトによりトラック、船舶等の輸送機器に積み込んで搬送を行うのが一般的である。
【０００３】
ところで、大型印刷機等の重量物を搬送する搬送装置においては、下部に車輪を有する台車と、台車の上面に載置された重量物を滑らかに移動可能にさせるために設けられたベアリングユニット等を備えたものが周知になっており（例えば、特許文献１を参照）、このような搬送装置は、当該台車の上面に重量物が載置され、上記車輪により当該重量物と台車を容易に移動することが可能になっている。
【先行技術文献】
【特許文献】
【０００４】
【特許文献１】特開２００２−２２６００９号公報
【発明の概要】
【発明が解決しようとする課題】
【０００５】
しかしながら、上述したような搬送装置においては、印刷機を載置させるパレットが、その強度を保つ必要があるため鉄板等で構成されていることが多く、その重量が非常に大きく、また搬送装置の製造等のコストが高くなるという課題があった。
【０００６】
本発明は、上記のような課題に鑑みてなされたものであり、軽量でコストを抑えつつ大型のプリンタまたはプロッタ等を搬送可能な印刷機の搬送装置を提供することを目的とする。
【課題を解決するための手段】
【０００７】
上記目的を達成するため、本発明にかかる印刷機の搬送装置は、プリンタまたはプロッタ等の印刷機を搬送するための印刷機の搬送装置であって、枠部材、枠部材に囲まれた部分全体を覆うように設けられたシート部材（例えば、実施形態における段ボールシート１１ｂ）、および長手方向の両端が枠部材に固定されて設けられ印刷機を載置させる載置面を有するレール部材により構成された載置台と枠部材から下方に延びる脚部とを備え、枠部材の下面に空間が設けられるように構成されたパレットと、載置面に載置された印刷機を載置面に固定させる印刷機固定手段（例えば、実施形態における搬送ステー１３、固定具１４）と、印刷機に載置面と平行な方向に開口する貫通孔が設けられ、貫通孔に挿入可能に構成され挿入する方向の両端にフック等の係止手段を取り付けて係止手段を持ち上げることにより印刷機を吊り上げ可能にする印刷機吊り上げ手段（例えば、実施形態における吊り上げステー１７）とを備えたことを特徴とする。
【０００８】
また、本発明に係る印刷機の搬送装置においては、パレットに、印刷機吊り上げ手段を前記載置面と略直交する方向に延びるように取り付けるための吊り上げ手段取付部（例えば、実施形態における孔部１１ｄ）が設けられていることが好ましい。
【０００９】
そして、本発明に係る印刷機の搬送装置においては、印刷機が前後または左右方向に移動自在にするための車輪を有するものであって、印刷機固定手段は、印刷機およびパレットに着脱自在に設けられ、印刷機およびパレットから外した状態で車輪を介して印刷機を載置可能に構成されることが好ましい。
【発明の効果】
【００１０】
以上、本発明に係る搬送装置においては、印刷機を載置するパレットが枠部材と、枠部材で囲まれた部分を覆うシート部材と、両端が枠部材に固定され印刷機を載置するために設けられたレール部材を備えて構成されることにより、搬送装置を軽量にすることが可能になり、また、その製造コストを低減させることができる。
【００１１】
また、パレットの上面に上方に延びるように印刷機吊り上げ手段を取り付けるための吊り上げ手段取付部が設けられることにより、パレットに載置された印刷機をダンボール箱等の梱包部材で梱包して輸送する際に、梱包部材の外側から加えられる衝撃を軽減させることができる。
【００１２】
そして、印刷機固定手段が、印刷機およびパレットから着脱可能であり、印刷機およびパレットから外したときに印刷機を載置可能に構成されることにより、印刷機をパレットから降ろすときに印刷機固定手段の一端をパレットの上面、他端を床面等に載置してスロープとして使用することにより、印刷機の車輪を載置して人力で容易にパレットの上面から降ろしたりパレットの上面に載置したりすることができる。
【図面の簡単な説明】
【００１３】
【図１】本発明の適用例として示したプリンタ装置Ｐを搬送装置に載置した状態を示す斜め前方から見た外観斜視図である。
【図２】上記搬送装置のパレットを示す図であり（ａ）が斜め前方から見た斜視図、（ｂ）が上面図である。
【図３】搬送ステーを用いて上記プリンタ装置を搬送装置から降ろすときの状態を示す斜視図である。
【図４】吊り上げステーを装置本体に固定させたブラケットの孔部に挿入しステー固定手段により固定させて吊り上げステーの端部にフック保持部材を螺合させる状態を示す斜視図である。
【図５】上記搬送装置のパレットの上面に吊り上げステーを立てた状態を示す斜め前方から見た外観斜視図である。
【図６】段ボール箱Ｄにより上記プリンタ装置を梱包する状態を示す斜視図である。（ａ）は段ボール箱Ｄの斜視図、（ｂ）は段ボール箱Ｄにより梱包されたプリンタ装置および搬送装置にフォークリフトの爪を挿入しようとする状態を示している。
【図７】上記プリンタ装置および搬送装置をクレーン車のフックを用いて吊り上げる状態を示す斜視図である。
【図８】上記プリンタ装置の脚部に搬送ステーを固定させてフォークリフトの爪を挿入しようとする状態を示す斜視図である。
【発明を実施するための形態】
【００１４】
以下、本発明の好ましい実施形態について、図面を参照しながら説明する。以下の説明では、図１中に付記する矢印Ｆ，Ｒ，Ｕの指す方向をそれぞれ前方、右方、上方と称し、大型プリンタ等を輸送可能な搬送装置１０（後に詳述）をプリンタ装置Ｐに適用した例について説明する。プリンタ装置Ｐは、プラテン上に載置した塩ビシートやターポリン、ポリエステルフィルム等のシート状の印刷媒体（メディアとも称される）に、プリンタヘッドに設けられたノズルからインクの微粒子を吐出して、印刷対象面に文字や図形、模様、写真等の情報を印刷する印刷装置である。
【００１５】
プリンタ装置Ｐは、図１に示すように、描画機能を果たす横長矩形箱状の装置本体１と、装置本体１の左右両端に設けられ装置本体１を支持する支持部２と、ロール状に巻かれた未印刷状態の印刷媒体をシート状にして装置本体１に供給する印刷媒体供給機構３と、装置本体１により描画された印刷媒体をロール状に巻き取る印刷媒体巻き取り機構４と、左右の支持部２それぞれの脚部２ａの下面に前後対称に２個ずつ設けられプリンタ装置Ｐを前後左右に移動可能にするための車輪が設けられたキャスタ５（図３および図８参照）とにより構成されている。
【００１６】
搬送装置１０は、プリンタ装置Ｐを載置するパレット１１と、２個のフォークリフト差込部１２と、プリンタ装置Ｐをパレット１１に載置またはパレット１１から降ろすためのスロープとして使用する２本の搬送ステー１３と、２個の固定具１４と、キャスタ５の下面に載置する２個の緩衝材１５と、２本のレール部材１６と、プリンタ装置Ｐをクレーンで持ち上げるときに使用する棒状の２本の吊り上げステー１７とにより構成される。
【００１７】
パレット１１は、図１および図２に示すように、矩形状に構成された鉄製の枠部材１１ａと、枠部材１１ａの下面から枠部材１１ａに囲まれた部分全体を覆うように貼り付けられる薄板状の段ボールシート１１ｂと、パレット１１の四隅の下面に設けられている脚部１１ｃと、パレット１１の上面の前後方向中央部の左端および右端に設けられる孔部１１ｄと、枠部材１１ａの上面と直交する４つの側面の下端に設けられる爪部１１ｅとから構成されている。
【００１８】
段ボールシート１１ｂは、枠部材１１ａの下面に枠部材１１ａに囲まれた部分全体を覆うように接着剤等の貼着手段により貼り付けられ、プリンタ装置Ｐをパレット１１に載置したときに下方からゴミ等が進入することを防止することが可能になっており、また、脚部１１ｃをパレット１１の四隅に下方に延びるように設け、パレット１１のプリンタ装置Ｐの載置面に高さを持たせることにより、パレット１１に載置したプリンタ装置Ｐを安定した状態で輸送することが可能になるとともに枠部材１１ａおよび段ボールシート１１ｂの下面が汚れることを防止することができる。
【００１９】
パレット１１の上面の左右両端中央部に設けられている孔部１１ｄには、棒状の吊り上げステー１７（後に詳述）を挿入し固定させることが可能になっている（図５参照）。このように吊り上げステー１７をパレット１１の上面から上方に延びるように立てて固定させた後に段ボール箱Ｄ（図６参照）で梱包することにより、プリンタ装置Ｐの輸送時における左右方向からの衝撃を低減させることが可能になる。また、パレット１１の上面と直交する４つの側面の下端には爪部１１ｅが設けられ、プリンタ装置Ｐを段ボール箱Ｄにより梱包する際に段ボール箱Ｄがパレット１１から外れないように後に詳述する段ボール箱Ｄの孔部Ｄ１に差し込むために用いられる（図６参照）。
【００２０】
フォークリフト差込部１２は、前側および後側の枠部材１１ａの左右方向中央部の下面から下方に延びるように設けられ、フォークリフト差込部１２の底面はパレット１１の脚部１１ｃの底面よりも高い位置にある。このため、フォークリフト差込部１２の底面とパレット１１の脚部１１ｃの底面と平行な面の間には空間が設けられた状態になっており、フォークリフト差込部１２の底面が地面等に着地しないようになっている。フォークリフト差込部１２は、図１に示すように、前後方向に開口するフォークリフト差込口１２ａを２個備えており、フォークリフト差込口１２ａにフォークリフトの爪Ｆを挿入することにより、フォークリフトでパレット１１を持ち上げ移動させることが可能になっている。
【００２１】
搬送ステー１３は、鉄製の棒状部材で長手方向に延びる一つの面にキャスタ５を載置しその上面を移動可能にするための凹部を有して構成されており、図３に示すように、プリンタ装置Ｐをパレット１１に載置またはパレット１１から降ろすときに、パレット１１の右端に載置しスロープとして使用する部材である。搬送ステー１３の凹部の長手方向両端部分の底部は薄板状になっており、プリンタ装置Ｐのキャスタ５が容易に当該凹部に載置可能になっている。固定具１４は、搬送ステー１３をボルト等の固定手段によりパレット１１に固定するために用いられ、搬送ステー１３は、プリンタ装置Ｐをパレット１１に載置またはパレット１１から降ろす時以外は、図１に示すように、ボルト等の固定手段によりプリンタ装置Ｐの脚部２ａと固定具１４に固定された状態になっている。
【００２２】
緩衝材１５は、スポンジ等の材料を用いて構成されており、プリンタ装置Ｐのキャスタ５をキズつけないように載置させるクッションとして用いられる。プリンタ装置Ｐは緩衝材１５を介してパレット１１の上面に左右方向に延びて設けられるレール部材１６の上面に載置されるようになっている。レール部材１６は、パレット１１の上面に左右方向に延びて設けられ、キャスタ５をその上面に載置してプリンタ装置Ｐを左右方向に移動可能にするとともに前後方向の移動を制限するために設けられる。
【００２３】
吊り上げステー１７は、上述したようにプリンタ装置Ｐの輸送時は孔部１１ｄに挿入しパレット１１の上面に立てて使用するが、輸送時以外は、図４に示すようなステー固定手段２０に挿入、貫通された状態になっている。ステー固定手段２０は、ブラケット２１と、４本のボルト２２と、２本のロングボルト２３とにより構成されており、ブラケット２１は、４本のボルト２２により装置本体１に上に向かって固定されている。そして、ブラケット２１が装置本体１に固定された状態で、吊り上げステー１７がブラケット２１の左右両側部に形成された孔部に挿入、貫通されるようになっている。そして、２本のロングボルト２３が吊り上げステー１７の穴部１７ａに挿入、そして螺合されることにより、吊り上げステー１７を装置本体１に固定することが可能になる。また、吊り上げステー１７の長手方向に平行な１つの側面には、後に詳述するフック保持部材３０を螺合し固定させるための孔部１７ｂが設けられており、吊り上げステー１７は、孔部１７ｂが上面を向いた状態でブラケット２１に挿入、貫通されるようになっている。
【００２４】
図４に示すように、吊り上げステー１７の長手方向の両端部にある孔部１７ｂに、クレーン車等のフックを掛けるリング部を有するフック保持部材３０を螺合し固定させることが可能になっており、フック保持部材３０を孔部１７ｂに螺合し吊り上げステー１７の両端に固定させると、図７に示すように、一端に引っ掛け部１００ａ他端にフック１００ｈを有するベルト部材１００とクレーン車を用いてプリンタ装置Ｐを持ち上げることが可能になる。具体的には、４本のベルト部材１００のフック１００ｈを、吊り上げステー１７の両端に螺合、固定されたフック保持部材３０のリング部に掛け、４本のベルト部材１００の引っ掛け部１００ａ全てをクレーン車のフックＨに引っ掛けた状態でフックＨを上方に引き上げることにより、プリンタ装置Ｐを持ち上げることが可能になっている。また、クレーン車ではなく、フォークリフトによりパレット１１に載置されたプリンタ装置Ｐを持ち上げる際には、図１に示すように、フォークリフト差込部１２のフォークリフト差込口１２ａにフォークリフトの爪Ｆを挿入し爪Ｆを上方に持ち上げることにより、パレット１１に載置されたプリンタ装置Ｐを上方に持ち上げることが可能になる。
【００２５】
以上のように構成された搬送装置１０を用いて、プリンタ装置Ｐをトラック等の輸送手段により輸送する方法について説明する。まず、プリンタ装置Ｐをパレット１１の上面に載置しトラック等に積み込む方法について説明する。
【００２６】
まず、レール部材１６の上面の左右両端部のキャスタ５が乗り上げる位置に緩衝材１５を載置する。その後、２本の吊り上げステー１７を装置本体１に固定させたブラケット２１の孔部に挿入し、貫通させる。そして、ステー固定手段２０により吊り上げステー１７を固定させた後、吊り上げステー１７の両端に設けられている孔部１７ｂにフック保持部材３０を螺合、固定させ、４本のベルト部材１００のフック１００ｈをフック保持部材３０に引っ掛け、４本の引っ掛け部１００ａ全てにクレーン車のフックＨを引っ掛けた状態でクレーン車を操作することにより、フックＨを上方に引き上げる。そして、プリンタ装置Ｐを持ち上げ移動させてキャスタ５が緩衝材１５の上面に位置するようにパレット１１の上面に載置させる。
【００２７】
また、クレーン車を用いないでプリンタ装置Ｐをパレット１１の上面に載置させる方法について以下で説明する。まず、緩衝材１５をレール部材１６の上面のプリンタ装置Ｐのキャスタ５が乗り上げる位置に載置し、搬送ステー１３を、図３に示すように、パレット１１の右端上面に搬送ステー１３の凹部と対向する面の長手方向の端部が接するように載置する。このとき、搬送ステー１３にプリンタ装置Ｐが乗り上げたときのプリンタ装置Ｐへの衝撃を吸収させるためにスポンジ状の材質で構成された緩衝材２５を、搬送ステー１３の長手方向の中央位置の下面に配置する。
【００２８】
上記のように搬送ステー１３を載置した後、人力でプリンタ装置Ｐを、プリンタ装置Ｐの左端に設けられた２個のキャスタ５が搬送ステー１３の右端に位置するように移動させる。そして、人力で吊り上げステー１７を左方に押しながら当該２個のキャスタ５を搬送ステー１３の凹部の右端に載置させ、吊り上げステー１７を左方に押してキャスタ５がパレット１１の上面に載置され、そして、４個のキャスタ５が緩衝材１５の上面に乗り上げるように移動させる。
【００２９】
上記のように、プリンタ装置Ｐをパレット１１に載置した後、吊り上げステー１７からフック保持部材３０を外し、２本の吊り上げステー１７を引き出してパレット１１上面の左右両端部に設けられた孔部１１ｄに挿入し固定させる。そして、図６（ａ）および（ｂ）に示すように、段ボール箱Ｄによりプリンタ装置Ｐを梱包する。段ボール箱Ｄは、長手方向および幅方向の長さがパレット１１の長さと同じになっており、高さはプリンタ装置Ｐの高さより数十センチ程度高くなっている。
【００３０】
また、段ボール箱Ｄの下端部には複数の孔部Ｄ１が設けられており、プリンタ装置Ｐを段ボール箱Ｄに梱包する際に、プリンタ装置Ｐを段ボール箱Ｄで覆うとともに当該孔部Ｄ１に前述したパレット１１の爪部１１ｅを差し込むことにより、輸送中に段ボール箱Ｄがパレット１１から外れることを防止することが可能になっている。なお、プリンタ装置Ｐを段ボール箱Ｄにより梱包した状態でフォークリフト差込部１２が左右方向中央下部に露出されるようになっており、段ボール箱Ｄによりプリンタ装置Ｐを梱包した後にフォークリフトの爪Ｆをフォークリフト差込部１２のフォークリフト差込口１２ａに挿入し、プリンタ装置Ｐを持ち上げ、トラック等に積み上げる。
【００３１】
次に、トラック等に積み込まれたプリンタ装置Ｐを降ろす方法について説明する。まず、トラック等に積み込まれたパレット１１のフォークリフト差込部１２のフォークリフト差込口１２ａにフォークリフトの爪Ｆを挿入し、トラック等からパレット１１を引き出し所望の場所に載置する。そして、段ボール箱Ｄをパレット１１から取り外す。
【００３２】
段ボール箱Ｄをパレット１１から取り外した後は、図３に示すように、緩衝材１５を取り外しキャスタ５およびレール部材１６を露出させる。また、搬送ステー１３をプリンタ装置Ｐおよび固定具１４から外し、２本の吊り上げステー１７を孔部１１ｄから外して装置本体１に固定させたブラケット２１に挿入し、ステー固定手段２０により吊り上げステー１７を固定させた後、搬送ステー１３を、パレット１１の右端上面に搬送ステー１３の凹部と対向する面の長手方向の端部が接するように載置する。なお、プリンタ装置Ｐをパレット１１に載置させるときと同様に、プリンタ装置Ｐが乗り上げたときのプリンタ装置Ｐへの衝撃を吸収させるため緩衝材２５を搬送ステー１３の長手方向の中央位置の下面に配置させる。
【００３３】
上記のように搬送ステー１３をパレット１１の右端に載置した後、人力で吊り上げステー１７を右方に押してプリンタ装置Ｐを右方に移動させ、プリンタ装置Ｐの右方に設けられた２個のキャスタ５を搬送ステー１３の凹部に移動させ、２つのキャスタ５が滑らかに搬送ステー１３の凹部を移動するように吊り上げステー１７に掛ける力を加減しながらプリンタ装置Ｐをパレット１１から降ろして所望の位置にプリンタ装置Ｐを置く。
【００３４】
なお、プリンタ装置Ｐをパレット１１から降ろす方法としては、プリンタ装置Ｐをパレット１１に載置するときと同じように、吊り上げステー１７を装置本体１に固定させたブラケット２１に貫通させステー固定手段２０により吊り上げステー１７を固定させた後、フック保持部材３０を固定させ、ベルト部材１００およびクレーン車を用いてプリンタ装置Ｐを降ろすこともできる。
【００３５】
以上、本実施形態における搬送装置１０においては、フォークリフト差込部１２を備えたパレット１１にプリンタ装置Ｐを載置し、搬送ステー１３および固定具１４を介してプリンタ装置Ｐをパレット１１に固定させ、フォークリフト差込部１２のフォークリフト差込口１２ａにフォークリフトの爪Ｆを挿入し持ち上げることにより、プリンタ装置Ｐをパレット１１に載置させた状態でフォークリフトにより容易に移動させることができる。
【００３６】
また、本実施形態における搬送装置１０においては、吊り上げステー１７が設けられていることにより、プリンタ装置Ｐをクレーン車で吊り上げることを可能にするとともに、プリンタ装置Ｐを段ボール箱Ｄで梱包するときには、吊り上げステー１７をパレット１１上面の孔部１１ｄに挿入し固定させることにより左右方向からのプリンタ装置Ｐへの衝撃を低減させることができる。
【００３７】
そして、本実施形態における搬送装置１０においては、プリンタ装置Ｐをパレット１１に載置またはパレット１１から降ろすときに搬送ステー１３をスロープとして使用することにより、プリンタ装置Ｐに大きな衝撃を与えることなくパレット１１に載置またはパレット１１から降ろすことができるとともに、プリンタ装置Ｐをパレット１１に載置またはパレット１１から降ろす作業をクレーン車等を用いずに人力で容易に行うことができる。
【００３８】
さらに、本実施形態における搬送装置１０においては、パレット１１が枠部材１１ａの下面から枠部材１１ａに囲まれた部分全体を覆うように段ボールシート１１ｂが貼り付けられて構成されることにより、パレット１１を軽量化することが可能になるとともに、パレット１１の製造コストを低減させることができる。
【００３９】
以上、本実施形態では、パレット１１の枠部材１１ａに囲まれた部分全体を覆うように薄板状の段ボールシート１１ｂが貼り付けられる例について説明したが、枠部材１１ａを覆う部材は段ボールに限られることはない。
【００４０】
また、本実施形態では、パレット１１にプリンタ装置Ｐを載置して輸送する例について説明したが、必ずしもパレット１１を用いなければならないわけではなく、例えば図８に示すように、搬送ステー１３をボルト等の固定手段（図示せず）によりプリンタ装置Ｐの脚部２ａに固定させた状態で、搬送ステー１３の下面にフォークリフトの爪Ｆを挿入するか、または４本のベルト部材１００とクレーン車を用いてプリンタ装置Ｐを持ち上げトラック等に積み込んだり降ろしたりすることもできる。
【００４１】
そして、本実施形態では、搬送ステー１３を用いてプリンタ装置Ｐをパレット１１の右端から載置したり降ろしたりする例について説明したが、これに限られることなく、例えばパレット１１の左端から載置したり降ろしたりするようにしてもよい。
【００４２】
さらに、本実施形態では、搬送装置１０をプリンタ装置Ｐに適用させた例について説明したが、適用させる対象としてはプリンタ装置に限られることなく、例えば、カッティングプロッタ等に適用してもよい。
【符号の説明】
【００４３】
Ｐ      プリンタ装置
５      キャスタ（車輪）
１０      搬送装置
１１      パレット
１１ａ      枠部材
１１ｂ      段ボールシート（シート部材）
１１ｃ      脚部
１１ｄ      孔部（吊り上げ手段取付部）
１３      搬送ステー（印刷機固定手段）
１４      固定具（印刷機固定手段）
１７      吊り上げステー（印刷機吊り上げ手段）
【図１】
2010173836.tif 000003
【図２】
2010173836.tif 000004
【図３】
2010173836.tif 000005
【図４】
2010173836.tif 000006
【図５】
2010173836.tif 000007
【図６】
2010173836.tif 000008
【図７】
2010173836.tif 000009
【図８】
2010173836.tif 000010